(57)【特許請求の範囲】
【請求項１】
企業によって提供される空間において、前記企業によって指定された日時に、ユーザが料理を作ることを可能とする管理サーバであって、
前記ユーザの確定情報を含むユーザ情報を管理するユーザ情報管理部と、
前記空間に関する情報を含む企業情報を管理する企業情報管理部と、
前記ユーザ情報及び前記企業情報に基づいて、前記料理のレシピを決定するレシピ決定部と、
前記レシピに基づいて、前記料理を作るために必要な食材及び調味料の少なくとも一方を注文する注文部と、
前記ユーザに対して提供する前記レシピに係るコンテンツを管理するコンテンツ管理部とを具備し、
前記確定情報は、確定した予約に係る情報であり、前記空間及び前記日時を示す情報を含み、
前記空間に関する情報は、前記空間の使用に関する制約情報を含む、管理サーバ。
【請求項２】
前記制約情報は、前記空間の設備に関する制約情報、前記空間の環境維持に関する制約情報及び前記空間で料理する際の調理器具のメンテナンスに関する制約情報の少なくとも１つを含む、請求項１に記載の管理サーバ。
【請求項３】
前記空間は、前記企業のオフィス内の会議室、執務室及び前記企業によって一時的に利用若しくは貸与を許可する種類のレンタルスペースの少なくとも１つを含む、請求項１又は２に記載の管理サーバ。
【請求項４】
前記日時は、前記ユーザの移動時間中及び勤務時間中の少なくとも一方における隙間時間である、請求項１〜３のいずれか一項に記載の管理サーバ。
【請求項５】
前記注文部は、同一のレシピによる料理を作るユーザ数に基づいて、前記食材及び調味料の少なくとも一方を注文する、請求項１〜４のいずれか一項に記載の管理サーバ。
【請求項６】
前記ユーザ情報は、前記料理についての配送の要否に係る情報を含み、
前記配送に要否に係る情報に基づいて、前記料理の配送を手配する配送手配部を具備する、請求項１〜５のいずれか一項に記載の管理サーバ。
【発明の詳細な説明】
【技術分野】
【０００１】
本開示は、企業によって提供される空間において、前記企業によって指定された日時に、ユーザが料理を作ることを可能とする管理サーバに関する。
【背景技術】
【０００２】
従来、ユーザに対して料理のレシピを提供するシステムが知られている（例えば、特許文献１又は２参照）。
【先行技術文献】
【特許文献】
【０００３】
【特許文献１】特開２０１９-２００６２３号公報
【特許文献２】特許第６５９１１１５号
【発明の概要】
【発明が解決しようとする課題】
【０００４】
一般的に、共働きの世帯では、料理をゆっくり作る時間を取ることが難しいという悩みを有しているため、上述のシステムによって、料理のレシピを提供したところで、かかる悩みを根本的に解決することができない。
【０００５】
かかる悩みを解決するために、宅食や中食等を活用することが考えられるが、これらを活用することは、高コストに繋がるために持続することが困難であるし、頻繁に活用することは罪悪感に繋がるし、味もマンネリになってしまう等の問題点があった。
【０００６】
そこで、本開示は、上述の課題に鑑みてなされたものであり、上述の共働きの世帯の悩みを根本的に解決することができる管理サーバを提供することを目的とする。
【課題を解決するための手段】
【０００７】
本開示の第１の特徴は、企業によって提供される空間において、前記企業によって指定された日時に、ユーザが料理を作ることを可能とする管理サーバであって、前記ユーザの確定情報及びプロフィール情報を含むユーザ情報を管理するユーザ情報管理部と、前記空間に関する情報を含む企業情報を管理する企業情報管理部と、前記ユーザ情報及び前記企業情報に基づいて、前記料理のレシピを決定するレシピ決定部と、前記レシピに基づいて、前記料理を作るために必要な食材及び調味料の少なくとも一方を注文する注文部と、前記ユーザに対して提供する前記レシピに係るコンテンツを管理するコンテンツ管理部とを具備し、前記ユーザ情報の確定情報は、前記空間及び前記日時を示す情報を含み、前記空間に関する情報は、前記空間の使用に関する制約情報を含むことを要旨とする。
【発明の効果】
【０００８】
本開示によれば、上述の共働きの世帯の悩みを根本的に解決することができる管理サーバを提供することができる。
【図面の簡単な説明】
【０００９】
【図１】図１は、一実施形態に係るサービス提供システム１の全体概略構成の一例を説明するための図である。
【図２】図２は、一実施形態に係る管理サーバ１００の機能ブロックの一例を示す図である。
【図３】図３は、一実施形態に係る管理サーバ１００のユーザ情報管理部１０１によって管理されるユーザ情報の一例を示す図である。
【図４】図４は、一実施形態に係る管理サーバ１００の企業情報管理部１０２によって管理される企業情報の一例を示す図である。
【図５】図５は、一実施形態に係るサービス提供システム１の動作の一例を示すシーケンス図である。
【発明を実施するための形態】
【００１０】
以下、図１〜図５参照して、一実施形態について説明する。
【００１１】
図１〜図５を参照して、本実施形態に係るサービス提供システム１の構成の一例について説明する。
【００１２】
本実施形態に係るサービス提供システム１は、管理サーバ１００を用いることによって、企業２００によって提供される空間において企業２００によって指定された日時にユーザ１０が料理を作ることを可能とするサービス（以下、本サービス）を提供するように構成されている。
【００１３】
以下、本実施形態では、ユーザ１０は、本サービスに加入している会員を示す。また、本サービスは、例えば、毎月の利用代金が定額で利用可能なサブスクリプション型のサービスであってもよい。
【００１４】
また、企業２００は、本サービスを提供することに同意しており、上述の空間を提供することができる企業を示す。なお、企業２００は、上述の空間を提供することができる企業であれば、例えば、ユーザ１０が勤務する企業であってもよいし、一時的に利用若しくは貸与を許可する種類のレンタルスペース等を提供する企業であってもよい。
【００１５】
なお、ユーザ１０が勤務する企業２００は、福利厚生の一環として、ユーザ１０の利用代金の一部を負担してもよい。
【００１６】
また、空間は、ユーザ１０が料理を作ることができる場所を示すものとし、例えば、企業２００のオフィス内の会議室或いは執務室であってもよいし、企業２００によって提供されるレンタルスペース等であってもよい。例えば、かかるレンタルスペースとしては、イベントスペースやコワーキングスペースやフィットネスジムの空きスペース等が挙げられる。
【００１７】
また、日時は、ユーザ１０の移動時間中や勤務時間中における隙間時間であることが好ましい。例えば、かかる隙間時間には、早朝やアフターファイブや休日が含まれ得る。
【００１８】
すなわち、ユーザ１０は、自身の勤務先の企業のオフィス内の会議室や執務室に限らず、休日を含む勤務時間外に、レンタルスペース等で料理を作ることができる。
【００１９】
なお、例えば、本サービスは、企業２００に勤務するユーザ１０であって、共働きの世帯であって自宅で料理を作る時間が取りにくいようなユーザ１０を対象にしてもよい。特に、本サービスは、共働きの子育て世帯の母親或いは父親を対象にしてもよい。
【００２０】
図１に示すように、本実施形態に係るサービス提供システム１は、端末２０と、管理サーバ１００と、企業２００と、流通業者３００と、食品メーカ４００と、配送業者５００とを有している。
【００２１】
端末２０は、本実施形態に係るサービス提供システム１によって提供される本サービスの会員であるユーザ１０によって使用される端末であって、例えば、かかる端末２０としては、ユーザ１０のＰＣ（Ｐｅｒｓｏｎａｌ  Ｃｏｍｐｕｔｅｒ）であってもよいし、ユーザ１０の携帯通信端末であってもよい。
【００２２】
企業２００は、例えば、サーバ等によって、かかる企業２００の会議室等の予約情報等を管理することができる。また、企業２００は、管理サーバ１００からの依頼（図５参照）に応じて、かかる会議室等の予約情報を参照して、ユーザ１０に対して提供可能な空間及び日時を決定して、かかる空間及び日時を管理サーバ１００に通知することができる。
【００２３】
流通業者３００は、上述の料理を作るために必要な食材の注文を受け付けて、かかる食材を提供することができる。例えば、流通業者３００は、食品の卸業者であってもよいし、かかる生産者自身であってもよい。また、流通業者３００は、サーバ等によって、かかる注文を受け付けてもよい。
【００２４】
ここで、流通業者３００は、管理サーバ１００からの要望により、所定タイミングで定期的に食材を提供してもよい。
【００２５】
食品メーカ４００は、料理を作るために必要な調味料等の注文を受け付けて、かかる調味料等を提供することができる。なお、食品メーカ４００は、サーバ等によってかかる注文を受け付けてもよい。ここで、食品メーカ４００は、管理サーバ１００からの要望により、所定タイミングで定期的に調味料等を提供してもよい。
【００２６】
配送業者５００は、管理サーバ１００から配送依頼を受け付けた場合に、上述の料理をユーザ１０によって指定された住所（例えば、ユーザ１０の自宅等）に配送することができる。
【００２７】
管理サーバ１００は、企業２００によって提供される空間において企業２００によって指定された日時にユーザ１０が料理を作ることを可能とするサーバである。
【００２８】
管理サーバ１００は、図２に示すように、ユーザ情報管理部１０１と、企業情報管理部１０２と、レシピ決定部１０３と、コンテンツ管理部１０４と、注文部１０５と、配送手配部１０６とを有している。
【００２９】
ユーザ情報管理部１０１は、本サービスの会員として登録されているユーザ１０に係る情報であるユーザ情報を管理するように構成されている。ここで、ユーザ情報管理部１０１は、ユーザ１０の端末２０によって入力された情報に基づいて、かかるユーザ１０のユーザ情報を生成するように構成されている。
【００３０】
例えば、ユーザ情報には、図３に示すように、「ユーザＩＤ」や「利用履歴」や「予約情報」や「確定情報」や「プロフィール情報」等が含まれる。
【００３１】
ここで、「ユーザＩＤ」は、かかるユーザを識別するための情報である。
【００３２】
「利用履歴」は、かかるユーザ１０による本サービスの利用履歴に係る情報である。例えば、「利用履歴」には、かかるユーザ１０が本サービスを利用した日時や、その際に作った料理の内容やレシピ等の情報が含まれる。
【００３３】
「予約情報」は、かかるユーザ１０による本サービスの予約に係る情報である。かかる「予約情報」は、端末２０を用いてユーザ１０により行われる予約に基づいて生成される（図５参照）。
【００３４】
例えば、「予約情報」には、かかるユーザ１０が本サービスの利用を希望する日時（例えば、利用可能な時間帯等）を示す情報や、かかるユーザ１０が本サービスの利用を希望する企業２００の空間（会議室や執務室やレンタルスペース等）を示す情報や、その際に作った料理について配送を希望するか否かについて示す情報（配送の要否に係る情報）等の情報が含まれる。
【００３５】
なお、かかる「予約情報」は、後述する「確定情報」が生成された後に削除されてもよい。
【００３６】
「確定情報」は、かかるユーザ１０による本サービスの確定した予約に係る情報である。かかる「確定情報」は、企業２００によって通知された空間及び日時に基づいて生成される。
【００３７】
例えば、「確定情報」には、企業２００によって提供された空間（本サービスの利用時にユーザ１０が料理を作る空間）を示す情報や、企業２００によって指定された日時（本サービスの利用時にユーザ１０が料理を作る日時）を示す情報や、その際に作った料理について配送するか否かについて示す情報（配送の要否に係る情報）等の情報が含まれる。
【００３８】
なお、ユーザ情報管理部１０１は、「予約情報」を管理せずに、「予約情報」の役割についても「確定情報」に持たせてもよい。
【００３９】
かかる場合、ユーザ情報管理部１０１は、端末２０を用いてユーザ１０により行われる予約に基づいて、ユーザ１０が本サービスの利用を希望する日時やユーザ１０が本サービスの利用を希望する企業２００の空間や配送の要否に係る情報等を含む「確定情報」を生成する。
【００４０】
その後、ユーザ情報管理部１０１は、企業２００によって通知された空間及び日時に基づいて、ユーザ１０が本サービスの利用を希望する日時を示す情報やユーザ１０が本サービスの利用を希望する企業２００の空間を示す情報を、それぞれ企業２００によって提供された空間を示す情報や企業２００によって指定された日時を示す情報に更新する。
【００４１】
「プロフィール情報」は、かかるユーザ１０のプロフィールに係る情報である。例えば、「プロフィール情報」には、かかるユーザ１０の生年月日や性別や家族構成や食の趣向やアレルギー情報や病歴の有無やユーザ１０が勤務する企業や利用プラン情報等が含まれる。
【００４２】
ここで、利用プラン情報は、予算、料理を食べるシーンの選択（料理をオフィスで食べる場合、テイクアウトで料理を自宅等へ持ち帰って食べる場合、又は、その両方の場合）、メニュー志向を指定する情報等である。なお、メニュー志向は、ユーザ１０の目的別に準備されたプランを示す情報である。例えば、メニュー志向には、冷凍等を想定した作り置きプランや、子供向けプラン（例えば、離乳食や幼児食等を料理したい方を対象とする） や、定番料理プラン（献立全体のバランスを重視される方等を対象とする）や、ヘルシープラン（ダイエット志向の方等を対象とする）等が含まれる。
【００４３】
企業情報管理部１０２は、本サービスを提供することに同意している企業２００に係る情報である企業情報を管理するように構成されている。
【００４４】
例えば、かかる企業情報には、図４に示すように、「企業ＩＤ」や「提供場所情報」が含まれる。ここで、「企業ＩＤ」は、かかる企業２００を識別するための情報である。
【００４５】
また、制約情報は、かかる企業２００の空間の使用に関する制約情報であって、企業２００の空間の設備に関する制約情報、企業２００の空間の環境維持に関する制約情報及び企業２００の空間で料理する際の調理器具のメンテナンスに関する制約情報等を含む。
【００４６】
例えば、企業２００の空間の設備に関する制約情報は、かかる企業２００の空間において、電気・水道・ガス・換気等の各設備の使用可否や各設備の使用量に関する制限等を含む。
【００４７】
また、例えば、企業２００の空間の環境維持に関する制約情報は、料理後の空間の環境の維持に関する制限（例えば、食材や料理に起因する香りが残存することが好ましくない空間の環境に関する制限等）を含む。
【００４８】
さらに、例えば、企業２００の空間で料理する際の調理器具のメンテナンスに関する制約情報は、調理器具の洗浄等のメンテナンスに関する制限（例えば、洗浄し難い食材や料理に対する制限等）を含む。
【００４９】
なお、「提供場所情報」は、企業２００の空間について使用可能な日時を示す情報を含んでいてもよい。例えば、かかる情報は、所定タイミングで企業２００によって通知される情報に基づいて生成される。かかる情報が、「提供場所情報」に含まれている場合、ユーザ情報管理部１０１は、企業２００に対して依頼することなく、かかる情報に基づいて、上述の「確定情報」を生成してもよい。
【００５０】
また、かかる企業情報には、図４に示すように、「請求金額」や「サービス情報」が含まれていてもよい。
【００５１】
「請求金額」は、かかる企業２００に勤務するユーザ１０が本サービスを利用した利用代金のうちの企業２００の負担金額を示す情報である。ここで、企業２００が、レンタルスペース等を提供する企業である場合や、かかる企業２００に勤務するユーザ１０の利用代金の一部を負担しない場合には、企業情報管理部１０２は、かかる企業情報に「請求金額」を含めなくてもよいし、「請求金額」に値を設定しなくてもよいし、「請求金額」に０円と設定してもよい。
【００５２】
「サービス情報」は、かかる企業２００に勤務するユーザ１０が利用してもよい利用プランについて示す情報である。ここで、企業２００が、レンタルスペース等を提供する企業である場合や、かかる企業２００に勤務するユーザ１０の利用代金の一部を負担しない場合には、企業情報管理部１０２は、かかる企業情報に「サービス情報」を含めなくてもよいし、「サービス情報」に値を設定しなくてもよい。
【００５３】
レシピ決定部１０３は、ユーザ情報管理部１０１によって管理されているユーザ情報及び企業情報管理部１０２によって管理されている企業情報に基づいて、各ユーザ１０用の料理のレシピを決定するように構成されている。
【００５４】
例えば、レシピ決定部１０３は、ユーザ１０の家族構成やアレルギー情報等、ユーザ１０の過去の利用実績及びユーザ１０が勤務する企業２００の空間の制約情報や利用可能な利用プラン等に基づいて、かかるユーザ１０用のレシピを決定するように構成されてもよい。
【００５５】
ここで、レシピ決定部１０３は、各ユーザ１０に対して、所定期間（例えば、１か月や１週間）分のレシピを作成するように構成されていてもよい。
【００５６】
また、かかるレシピとしては、早朝やアフターファイブやランチタイム等の隙間時間で作ることができるような料理のレシピであることが好ましい。例えば、かかるレシピとしては、所定時間（例えば、１０分〜２０分）で作ることができる料理のレシピであることが好ましい。
【００５７】
また、レシピ決定部１０３は、同一の空間において同一の日時（時間帯）に複数のユーザ１０からなるグループ用に同一のレシピを生成するように構成されていてもよい。かかる場合、レシピ決定部１０３は、かかるグループ内のユーザ数に基づいて、かかるレシピを決定するように構成されていてもよい。
【００５８】
コンテンツ管理部１０４は、各レシピに係るコンテンツを管理するように構成されている。ここで、コンテンツは、各レシピに対応する料理の作り方の動画や音声であってもよいし、かかる料理の作り方を説明したテキストや写真や画像や絵等を含むものであってもよい。
【００５９】
なお、コンテンツ管理部１０４は、外部から取得したコンテンツを管理するように構成されていてもよいし、管理者によって入力されたコンテンツを管理するように構成されていてもよい。
【００６０】
注文部１０５は、レシピ決定部１０３によって決定された各ユーザ１０のレシピに基づいて、かかるレシピに対応する料理を作るために必要な食材及び調味料の少なくとも一方を注文するように構成されている。
【００６１】
例えば、注文部１０５は、各ユーザ１０が本サービスの利用を希望する企業２００の空間における保管情報や制約情報を考慮して、かかる食材や調味料等の注文を行うように構成されていてもよい。
【００６２】
ここで、注文部１０５は、流通業者３００に対して、レシピ決定部１０３によって決定されたレシピに対応する料理を作るために必要な食材のうち、対象の企業２００の空間における在庫として足りない分について注文するように構成されていてもよい。
【００６３】
同様に、注文部１０５は、食品メーカ４００に対して、レシピ決定部１０３によって決定されたレシピに対応する料理を作るために必要な調味料等のうち、対象の企業２００の空間における在庫として足りない分について注文するように構成されていてもよい。
【００６４】
かかる注文は、ネットワークを介して、電子メールやＦＡＸによって行われてもよいし、流通業者３００或いは食品メーカ４００によって管理されているサーバ等における規定のフォーマットに入力する形式で行われてもよいし、音声通話によって行われてもよい。
【００６５】
なお、本実施形態に係るサービス提供システム１では、ある企業２００の空間において、同一の日時（時間帯）に、複数のユーザ１０からなるグループが、同一のレシピにより料理を作るケースも想定される。かかるケースでは、かかるグループ内のユーザ数により、注文すべき食材や調味料等の分量が決まる。したがって、かかるケースでは、注文部１０５は、かかるグループ内のユーザ数に基づいて、上述の注文を行うように構成されていてもよい。
【００６６】
配送手配部１０６は、ユーザ情報管理部１０１によって管理されているユーザ情報に含まれる配送に要否に係る情報に基づいて、ユーザ１０によって作られた料理の配送を手配するように構成されている。
【００６７】
かかる配送依頼は、ネットワークを介して、電子メールやＦＡＸによって行われてもよいし、配送業者５００によって管理されているサーバ等における規定のフォーマットに入力する形式で行われてもよいし、音声通話によって行われてもよい。
【００６８】
以下、図５を参照して、本実施形態に係るサービス提供システム１の動作の一例について説明する。具体的には、本実施形態に係るサービス提供システム１において継続的に本サービスを利用しているユーザ１０を想定した動作について説明する。
【００６９】
図５に示すように、ステップＳ１００１において、各ユーザ１０は、端末２０を用いて、管理サーバ１００に対して本サービスの予約を行う。具体的には、ユーザ１０は、端末２０を用いて、管理サーバ１００における本サービス用のサイトに所定情報を入力することによって本サービスの予約を行ってもよいし、管理サーバ１００に対して電子メールを送信することによって行ってもよい。また、かかる予約は、ＦＡＸや音声通話によって行われてもよい。
【００７０】
また、各ユーザ１０は、端末２０を用いて、本サービスの利用を希望する日時を示す情報や、本サービスの利用を希望する企業２００の空間を示す情報や、配送の要否に係る情報等の情報を送信することによって、かかる予約を行う。
【００７１】
例えば、各ユーザ１０は、所定期間ごと（例えば、月ごとや週ごと）の予約を纏めて行ってもよい。
【００７２】
ステップＳ１００２において、管理サーバ１００は、企業２００に対して、かかる予約に応じて、各ユーザ１０が本サービスの利用を希望する日時に本サービスの利用を希望する企業２００の空間を使用することを依頼する。
【００７３】
ステップＳ１００３において、企業２００は、かかる依頼に応じて、各ユーザ１０が本サービスの利用を希望する日時に本サービスの利用を希望する企業２００の空間を使用することができるか否かについて確認する。
【００７４】
企業２００は、使用することができると判断した場合、その旨を管理サーバ１００に対して通知する。一方、企業２００は、使用することができないと判断した場合、管理サーバ１００に対して、代わりに使用可能な企業２００の空間及び日時を示す情報を通知する。
【００７５】
ステップＳ１００４において、管理サーバ１００は、管理サーバ１００自身が管理しているユーザ情報及び企業情報等に基づいて、各ユーザ１０が作るべき料理のレシピを決定する。
【００７６】
管理サーバ１００は、ステップＳ１００５において、流通業者３００に対して、ステップＳ１００４で決定したレシピに対応する料理を作るために必要な食材について注文し、ステップＳ１００６において、食品メーカ４００に対して、ステップＳ１００４で決定したレシピに対応する料理を作るために必要な調味料等について注文する。
【００７７】
ステップＳ１００７において、管理サーバ１００は、各ユーザ１０の端末２０に対して、本サービスを利用する日時（ランチタイム等）や空間（会議室の番号等）を示す情報や、本サービスによって作る料理のレシピに係るコンテンツ等を通知し、ステップＳ１００８において、ユーザ１０は、通知された日時に、通知された空間にて、通知されたコンテンツを見ながら、料理を作る。ここで、各ユーザ１０は、自身が所持する端末２０で、かかるコンテンツを見てもよいし、企業２００によって準備されたモニタや端末等で、かかるコンテンツを見てもよい。
【００７８】
ステップＳ１００９において、管理サーバ１００は、配送業者５００に対して、ステップＳ１００８において作った料理の配送を希望するユーザ１０によって指定された住所への配送を手配する。一方、配送を希望しないユーザ１０は、かかる料理を自身で自宅等へ持って帰ることができる。なお、ユーザ１０は、かかる料理を自宅等へ持ち帰ることなく、その場や自席等で食べてもよい。
【００７９】
本実施形態に係るサービス提供システム１によれば、企業２００の空間を間借りすることで、ユーザ１０の移動時間中や勤務時間中の隙間時間にて料理を作ることができ、しかも煩わしいレシピの考案を管理サーバ１００によって代行してもらえるため、忙しい共働きの世帯（特に、共働きの子育て世帯）において、家族間のコミュニケーション（特に、子供とのコミュニケーション）の時間を増やすことができ、自分の時間を確保することもできるようになる。
【００８０】
また、本実施形態に係るサービス提供システム１によれば、企業２００の空間にて料理を作った後の後片付けについては、外部の業者に委託したり、ユーザ１０間で当番制としたり、本サービスの利用料金の減額を希望するユーザ１０が行ったりすることで、各ユーザ１０の負担を軽減することができる。
【００８１】
また、本実施形態に係るサービス提供システム１によれば、ユーザ１０の移動時間中や勤務時間中の隙間時間にてユーザ１０自身が料理を行うことができるため、中食や宅食を活用する場合と比べて、コストを削減しつつ、自身で料理しないことの罪悪感をなくすことができる。
【００８２】
また、本実施形態に係るサービス提供システム１によれば、ユーザ１０は、食材や調味料等の購入や調理器具等のメンテナンス、自宅で料理した後のキッチンの片付けや清掃を意識することなく料理を行うことができる。
【産業上の利用可能性】
【００８３】
本発明によれば、企業２００において空いている空間やユーザ１０の空いている時間を有効活用することができる。
【００８４】
また、本発明によれば、料理教室のように、単発（週１回や月１回等）ではなく、日常的に継続可能なシステムとして本サービスを提供し、ユーザ１０の生活習慣を変化させることができる。
【符号の説明】
【００８５】
１…サービス提供システム
１０…ユーザ
２０…端末
１００…管理サーバ
１０１…ユーザ情報管理部
１０２…企業情報管理部
１０３…レシピ決定部
１０４…コンテンツ管理部
１０５…注文部
１０６…配送手配部
２００…企業
３００…流通業者
４００…食品メーカ
５００…配送業者
【要約】
【課題】。上述の共働きの世帯の悩みを根本的に解決することができること。
【解決手段】企業２００によって提供される空間において企業２００によって指定された日時にユーザ１０が料理を作ることを可能とする管理サーバ１００は、ユーザ１０の確定情報及びプロフィール情報を含むユーザ情報を管理するユーザ情報管理部１０１と、空間に関する情報を含む企業情報を管理する企業情報管理部１０２と、ユーザ情報及び企業情報に基づいて料理のレシピを決定するレシピ決定部１０３と、レシピに基づいて料理を作るために必要な食材及び調味料の少なくとも一方を注文する注文部１０５と、ユーザに対して提供するレシピに係るコンテンツを管理するコンテンツ管理部１０４とを具備する。ユーザ情報の確定情報は、空間及び日時を示す情報を含み、空間に関する情報は、空間の使用に関する制約情報を含む。
【選択図】図２【図１】
0006913787.tif 000002
【図２】
0006913787.tif 000003
【図３】
0006913787.tif 000004
【図４】
0006913787.tif 000005
【図５】
0006913787.tif 000006